(57)【特許請求の範囲】
【請求項１】
入力部を含む端末装置の有するコンピューターに、
１台以上の端末装置からの画像情報に基づく個別画像を含み、表示装置によって表示される全体画像であって、当該全体画像における前記個別画像の配置を示す個別画像配置領域と、前記端末装置ごとのアイコンを含むアイコン配置領域とを含むように、前記全体画像の構成を変更するための構成変更画像を生成させ、
各アイコンに関する操作に応じて前記構成の変更に関する操作を示す前記操作情報が前記入力部に入力されると、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させた前記構成変更画像を生成させる、
プログラム。
【請求項２】
請求項１に記載のプログラムにおいて、
前記個別画像配置領域は、複数の表示対象領域に区分され、
前記表示対象領域は、前記アイコンまたは前記マーク画像に対する操作に応じて、前記マーク画像が表示され、あるいは、前記マーク画像が消去され、
前記表示状態は、前記マーク画像が表示され、かつ、前記個別画像が表示されている表示中状態、前記マーク画像が表示され、かつ、前記個別画像が表示されていない表示待機状態、前記マーク画像が表示されていない非表示状態の３つの状態を含む、
プログラム。
【請求項３】
請求項２に記載のプログラムにおいて、
前記コンピューターに、前記表示中状態の場合は前記アイコン背景画像を第１の状態で表示し、前記表示待機状態の場合は前記アイコン背景画像を前記第１の状態とは異なる第２の状態で表示し、前記非表示状態の場合は前記アイコン背景画像を前記第１の状態および前記第２の状態とは異なる第３の状態で表示する前記構成変更画像を生成させる、
プログラム。
【請求項４】
請求項２または請求項３に記載のプログラムにおいて、
前記構成変更画像は、操作に応じて各表示対象領域を移動するカーソル画像と、前記全体画像に含める前記個別画像の個数を指定するための表示モードボタン画像とを含み、
前記コンピューターに、前記カーソル画像の位置を示す前記操作情報と、前記表示モードボタン画像の押下操作を示す前記操作情報とに基づき、前記表示状態における前記個別画像の表示有無を決定させる、
プログラム。
【請求項５】
入力部を含む端末装置の有するコンピューターにより読み取り可能なプログラムを記憶した情報記憶媒体であって、
請求項１〜４のいずれかに記載のプログラムを記憶した情報記憶媒体。
【請求項６】
１台以上の端末装置からの画像情報に基づく個別画像を含み、表示装置によって表示される全体画像の構成を変更するための構成変更画像を生成する画像生成部と、
前記構成の変更に関する操作を示す操作情報が入力される入力部と、
を含み、
前記構成変更画像は、前記全体画像における前記個別画像の配置を示す個別画像配置領域と、前記端末装置ごとのアイコンを含むアイコン配置領域とを含み、
前記入力部は、各アイコンに関する操作に応じて前記操作情報が入力され、
前記画像生成部は、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させる前記構成変更画像を生成する、
端末装置。
【請求項７】
１台以上の端末装置からの画像情報に基づく個別画像を含み、表示装置によって表示される全体画像の構成を変更するための構成変更画像を生成する画像生成部と、
前記構成の変更に関する操作を示す操作情報が入力される入力部と、
前記個別画像が表示される場合に、当該個別画像を示す画像情報を前記表示装置へ向け送信する送信部と、
を含む端末装置と、
前記画像情報を受信する受信部と、
前記画像情報に基づき、前記全体画像を生成する表示側画像生成部と、
前記全体画像を表示する表示側表示部と、
を含む前記表示装置と、
を含む表示システムであって、
前記構成変更画像は、前記全体画像における前記個別画像の配置を示す個別画像配置領域と、前記端末装置ごとのアイコンを含むアイコン配置領域とを含み、
前記入力部は、各アイコンに関する操作に応じて前記操作情報が入力され、
前記画像生成部は、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させる前記構成変更画像を生成する、
表示システム。
【請求項８】
端末装置が、１台以上の端末装置からの画像情報に基づく個別画像を含み、表示装置によって表示される全体画像の構成を変更するための構成変更画像を生成する画像生成方法であって、
前記端末装置は、
前記全体画像における前記個別画像の配置を示す個別画像配置領域と、前記端末装置ごとのアイコンを含むアイコン配置領域とを含むように前記構成変更画像を生成し、
各アイコンに関する操作に応じて前記構成の変更に関する操作を示す操作情報が入力されると、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させる、
画像生成方法。
【発明の詳細な説明】
【技術分野】
【０００１】
本発明は、プログラム、情報記憶媒体、端末装置、表示システムおよび画像生成方法に関する。
【背景技術】
【０００２】
例えば、特開２００４−５４７８３号公報では、複数の端末機器からサイズ変換処理されたキャプチャー画像データを受信して１画面の画像データに合成して表示する表示システムが記載されている。また、当該公報では、ユーザーが、表示装置のリモコン（リモートコントローラー）を操作することにより、特定の端末装置の画像を拡大表示したり、消去したり、追加したりすることが記載されている。
【先行技術文献】
【特許文献】
【０００３】
【特許文献１】特開２００４−５４７８３号公報
【発明の概要】
【発明が解決しようとする課題】
【０００４】
しかし、例えば、会議等では参加者からの要求に応じてプレゼンターがリモコンで当該参加者の使用する端末装置の画像の拡大等を行う場合、プレゼンターが、当該画像の特定、要求内容の把握、要求に応じたリモコン操作を行わなければならず、操作に時間がかかってしまう。また、上記公報では、拡大表示させる分割画面等を端末機器側からも指定することが可能であると記載されているが、具体的な手法は記載されていない。さらに、参加者が、自分の端末装置を用いて、表示装置が表示する画像の構成変更等を行う場合、現在の表示状態を適切に把握する必要があるが、表示装置が表示する画像だけでは、どの端末装置の画像が用いられているかわかりにくい。その上、参加者が、表示可能であるが、表示に用いられていない端末装置がどのような状態にあるかを把握するためには、詳細な情報を確認しなければならず、当該情報を得るために数段階のステップが必要になり、手間や時間がかかっていた。
【０００５】
本発明にかかるいくつかの態様は、上記課題を解決することにより、表示装置によって端末装置からの画像情報に基づく個別画像を含む全体画像が表示される場合に、全体画像の構成を変更する際に、現在の表示状態を迅速かつ適切に提示することが可能なプログラム、情報記憶媒体、端末装置、表示システムおよび画像生成方法を提供するものである。
【課題を解決するための手段】
【０００６】
本発明の態様の１つであるプログラムは、入力部を含む端末装置の有するコンピューターに、１台以上の端末装置からの画像情報に基づく個別画像を含み、表示装置によって表示される全体画像であって、当該全体画像における前記個別画像の配置を示す個別画像配置領域と、前記端末装置ごとのアイコンを含むアイコン配置領域とを含むように、前記全体画像の構成を変更するための構成変更画像を生成させ、各アイコンに関する操作に応じて前記構成の変更に関する操作を示す前記操作情報が前記入力部に入力されると、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させた前記構成変更画像を生成させることを特徴とする。
【０００７】
また、本発明の態様の１つである情報記憶媒体は、入力部を含む端末装置の有するコンピューターにより読み取り可能なプログラムを記憶した情報記憶媒体であって、上記プログラムを記憶したことを特徴とする。
【０００８】
また、本発明の態様の１つである端末装置は、１台以上の端末装置からの画像情報に基づく個別画像を含み、表示装置によって表示される全体画像の構成を変更するための構成変更画像を生成する画像生成部と、前記構成の変更に関する操作を示す操作情報が入力される入力部と、を含み、前記構成変更画像は、前記全体画像における前記個別画像の配置を示す個別画像配置領域と、前記端末装置ごとのアイコンを含むアイコン配置領域とを含み、前記入力部は、各アイコンに関する操作に応じて前記操作情報が入力され、前記画像生成部は、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させる前記構成変更画像を生成することを特徴とする。
【０００９】
また、本発明の態様の１つである表示システムは、１台以上の端末装置からの画像情報に基づく個別画像を含み、表示装置によって表示される全体画像の構成を変更するための構成変更画像を生成する画像生成部と、前記構成の変更に関する操作を示す操作情報が入力される入力部と、前記個別画像が表示される場合に、当該個別画像を示す画像情報を前記表示装置へ向け送信する送信部と、を含む端末装置と、前記画像情報を受信する受信部と、前記画像情報に基づき、前記全体画像を生成する表示側画像生成部と、前記全体画像を表示する表示側表示部と、を含む前記表示装置と、を含む表示システムであって、前記構成変更画像は、前記全体画像における前記個別画像の配置を示す個別画像配置領域と、前記端末装置ごとのアイコンを含むアイコン配置領域とを含み、前記入力部は、各アイコンに関する操作に応じて前記操作情報が入力され、前記画像生成部は、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させる前記構成変更画像を生成することを特徴とする。
【００１０】
また、本発明の態様の１つである画像生成方法は、端末装置が、１台以上の端末装置からの画像情報に基づく個別画像を含み、表示装置によって表示される全体画像の構成を変更するための構成変更画像を生成する画像生成方法であって、前記端末装置は、前記全体画像における前記個別画像の配置を示す個別画像配置領域と、前記端末装置ごとのアイコンを含むアイコン配置領域とを含むように前記構成変更画像を生成し、各アイコンに関する操作に応じて前記構成の変更に関する操作を示す操作情報が入力されると、前記操作情報に基づき、前記個別画像配置領域における前記アイコンに対応したマーク画像の割り当て状態を含む前記個別画像配置領域の表示状態を変化させるとともに、前記表示状態に応じて、前記アイコンの背景にあるアイコン背景画像または前記アイコンの形態を変化させることを特徴とする。
【００１１】
本発明によれば、端末装置等は、表示装置によって表示される全体画像における個別画像の配置を示す個別画像配置領域を含む構成変更画像を生成することにより、全体画像の構成をわかりやすく提示することができる。また、本発明によれば、端末装置等は、操作に応じて個別画像配置領域の表示状態を変化させることにより、全体画像の構成が変化した場合でも、当該変化を迅速に個別画像配置領域の表示に反映することができる。さらに、本発明によれば、端末装置等は、操作対象となるアイコンまたはアイコン背景画像を個別画像配置領域の表示状態に応じて変化させることにより、ユーザーは、視覚的に表示状態を把握しやすく、迅速な操作を行うことが可能になる。
【００１２】
また、前記個別画像配置領域は、複数の表示対象領域に区分され、前記表示対象領域は、前記アイコンまたは前記マーク画像に対する操作に応じて、前記マーク画像が表示され、あるいは、前記マーク画像が消去され、前記表示状態は、前記マーク画像が表示され、かつ、前記個別画像が表示されている表示中状態、前記マーク画像が表示され、かつ、前記個別画像が表示されていない表示待機状態、前記マーク画像が表示されていない非表示状態の３つの状態を含んでもよい。これによれば、端末装置等は、３つの状態に応じてアイコン背景画像等を変化させることにより、ユーザーは、視覚的に表示状態を把握しやすく、表示状態に応じてアイコンに関する操作を行う際に操作しやすくなる。
【００１３】
また、前記プログラムは、前記コンピューターに、前記表示中状態の場合は前記アイコン背景画像を第１の状態で表示し、前記表示待機状態の場合は前記アイコン背景画像を前記第１の状態とは異なる第２の状態で表示し、前記非表示状態の場合は前記アイコン背景画像を前記第１の状態および前記第２の状態とは異なる第３の状態で表示する前記構成変更画像を生成させてもよい。これによれば、端末装置等は、表示状態に応じてアイコン背景画像を３つの異なる状態に変化させることにより、ユーザーは、視覚的に表示状態を把握しやすく、表示状態に応じてアイコンに関する操作を行う際に操作しやすくなる。
【００１４】
また、前記構成変更画像は、操作に応じて各表示対象領域を移動するカーソル画像と、前記全体画像に含める前記個別画像の個数を指定するための表示モードボタン画像とを含み、前記プログラムは、前記コンピューターに、前記カーソル画像の位置を示す前記操作情報と、前記表示モードボタン画像の押下操作を示す前記操作情報とに基づき、前記表示状態における前記個別画像の表示有無を決定させてもよい。これによれば、端末装置等は、カーソル画像の位置を示す操作情報と、表示モードボタン画像の押下操作を示す操作情報に基づいて個別画像の表示有無を決定することにより、ユーザーは、より多様な操作によって個別画像の表示を変化させることができる上、迅速に全体画像の構成を変更することができる。
【図面の簡単な説明】
【００１５】
【図１】第１の実施例における全体画像の表示状況を示す図である。
【図２】第１の実施例におけるプロジェクターの機能ブロック図である。
【図３】第１の実施例におけるＰＣの機能ブロック図である。
【図４】第１の実施例におけるＰＣの画像表示手順を示すフローチャートである。
【図５】第１の実施例におけるプロジェクターの画像表示手順を示すフローチャートである。
【図６】第１の実施例におけるＰＣとプロジェクターでの情報のやりとりを示すシーケンス図である。
【図７】第１の実施例における検索画像の一例を示す図である。
【図８】第１の実施例における構成変更画像の一例を示す図である。
【図９】第１の実施例における各装置における画像遷移の一例を示す図である。
【図１０】第１の実施例における各装置における画像遷移の他の一例を示す図である。
【図１１】第１の実施例における各装置における画像遷移の他の一例を示す図である。
【図１２】その他の実施例における構成変更画像の一例を示す図である。
【発明を実施するための形態】
【００１６】
以下、本発明をＰＣ（Personal Computer）等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における全体画像２０の表示状況を示す図である。本実施例では、１台のプロジェクター１００と、４台のＰＣ２００−１〜２００−４が、アクセスポイント３００を介して無線接続されており、プロジェクター１００が、各ＰＣ２００からの画像情報に基づき、最大４つの個別画像３０〜３３を含む全体画像２０をスクリーン１０に投写する。例えば、会議に参加する参加者は、自分のＰＣ２００に表示される構成変更画像のアイコン等を操作することにより、全体画像２０における個別画像３０〜３３の構成を変更することができる。なお、プロジェクター１００は表示装置の一種であり、ＰＣ２００は端末装置の一種であり、プロジェクター１００と各ＰＣ２００は同じ部屋に配置されてもよいし、異なる部屋に配置されてもよい。次に、このような機能を有するプロジェクター１００とＰＣ２００の機能ブロックについて説明する。
【００１８】
図２は、第１の実施例におけるプロジェクター１００の機能ブロック図である。プロジェクター１００は、アクセスポイント３００を介してＰＣ２００と通信を行う表示側通信部１１０と、表示側情報生成部１２０と、表示側画像生成部１３０と、表示側記憶部１４０と、表示側記憶部１４０内のデータを更新する表示側更新部１５０と、表示側表示部の一種である投写部１９０を含んで構成されている。また、表示側記憶部１４０は、ＰＣ２００からの画像情報等を示す画像データ１４２、全体画像２０および構成変更画像の構成を示す画像構成データ１４４、通信対象の装置を示す装置管理データ１４６等を記憶している。なお、表示側通信部１１０は、ＰＣ２００から画像情報等を受信する受信部の一種である。
【００１９】
図３は、第１の実施例におけるＰＣ２００の機能ブロック図である。ＰＣ２００は、アクセスポイント３００を介してプロジェクター１００と通信を行う端末側通信部２１０と、端末側情報生成部２２０と、端末側画像生成部２３０と、端末側記憶部２４０と、端末側記憶部２４０内のデータを更新する端末側更新部２５０と、端末側表示部２９０を含んで構成されている。また、端末側記憶部２４０は、画像情報等を示す画像データ２４２、構成変更画像の構成を示す画像構成データ２４４、通信対象の装置を示す装置管理データ２４６等を記憶している。なお、端末側通信部２１０は、プロジェクター１００へ向け画像情報等を送信する送信部の一種である。
【００２０】
また、プロジェクター１００およびＰＣ２００は、以下のハードウェアを用いてこれらの各部として機能してもよい。例えば、プロジェクター１００およびＰＣ２００は、表示側通信部１１０、端末側通信部２１０は無線通信ユニット等、表示側情報生成部１２０、表示側更新部１５０、端末側情報生成部２２０、端末側更新部２５０はＣＰＵ等、表示側画像生成部１３０、端末側画像生成部２３０は画像処理回路等、表示側記憶部１４０、端末側記憶部２４０はＲＡＭ等、入力部２６０はキーボードやマウス等に接続されるＵＳＢ（Universal Serial Bus）ポート等、投写部１９０はランプ、液晶パネル、液晶駆動回路、レンズ等、端末側表示部２９０はバックライト、液晶パネル、液晶駆動回路等を用いてもよい。また、ＰＣ２００の有するコンピューターは、情報記憶媒体２８０に記憶されたプログラムを読み取って端末側画像生成部２３０等として機能してもよい。このような情報記憶媒体２８０としては、例えば、ＣＤ−ＲＯＭ、ＤＶＤ−ＲＯＭ、ＲＯＭ、ＲＡＭ、ＨＤＤ等を適用できる。
【００２１】
次に、プロジェクター１００とＰＣ２００を用いた画像の構成変更要求に応じた全体画像２０の投写手順について説明する。図４は、第１の実施例におけるＰＣ２００の画像表示手順を示すフローチャートである。また、図５は、第１の実施例におけるプロジェクター１００の画像表示手順を示すフローチャートである。また、図６は、第１の実施例におけるＰＣ２００とプロジェクター１００での情報のやりとりを示すシーケンス図である。
【００２２】
まず、図４を用いて、ＰＣ２００の画像表示手順について説明する。会議の参加者は、自分のＰＣ２００をプロジェクター１００に接続させるため、ＰＣ２００のキーボードやマウス等を操作することにより、プロジェクター検索プログラムの実行指示を行う。プロジェクター検索プログラムは、あらかじめＰＣ２００にインストールされているものとする。端末側情報生成部２２０は、入力部２６０からの当該実行指示を示す情報に基づき、ネットワークにおける各装置の接続状態等を確認するための状態確認情報を生成し、端末側通信部２１０は、当該状態確認情報をプロジェクター１００へ向け送信し、プロジェクター１００から各装置の接続状態等を示す状態通知情報を受信する。端末側更新部２５０は、当該状態通知情報に基づき、装置管理データ２４６を更新し、端末側画像生成部２３０は、画像データ２４２と、装置管理データ２４６に基づき、プロジェクターの検索結果を示す検索画像を生成し、端末側表示部２９０は、当該検索画像を表示する（ステップＳ１）。
【００２３】
図７は、第１の実施例における検索画像４００の一例を示す図である。検索画像４００は、上述したプロジェクター検索プログラムをＰＣ２００において実行することにより、ＰＣ２００の画面に表示される画像であり、装置管理データ２４６で示されるプロジェクターの状態、プロジェクター名、ＩＰアドレス等を示す検索結果表示領域４１０、接続先のプロジェクターを示す接続プロジェクターリスト表示領域４２０、最新の検索結果を得るための更新ボタン画像４３０、接続プロジェクターリスト表示領域４２０をクリアーするためのクリアーボタン画像４４０、接続プロジェクターリスト表示領域４２０に新たなプロジェクターを登録するための登録ボタン画像４５０、オプション設定ボタン画像４６０、会議に参加する（ＰＣ２００をプロジェクター１００に接続する）ための参加ボタン画像４７０等を含む。
【００２４】
参加者は、ＰＣ２００のマウスを用いて、参加ボタン画像４７０をクリックすることにより、会議への参加指示を行う。端末側情報生成部２２０は、入力部２６０からの当該参加指示を示す情報に基づき、参加要求情報を生成し、端末側通信部２１０は、当該参加要求情報をプロジェクター１００へ向け送信し、プロジェクター１００から状態通知情報を受信する。端末側更新部２５０は、当該状態通知情報に基づき、装置管理データ２４６を更新する（ステップＳ２）。
【００２５】
端末側更新部２５０は、端末側通信部２１０がプロジェクター１００から構成変更画像の構成を示す画像構成情報を受信したかどうかを判定する（ステップＳ３）。画像構成情報が受信された場合、端末側更新部２５０は、当該画像構成情報に基づき、画像構成データ２４４を更新する。端末側画像生成部２３０は、画像構成データ２４４に基づき、構成変更画像を生成し、端末側表示部２９０は、構成変更画像を表示する（ステップＳ４）。
【００２６】
図８は、第１の実施例における構成変更画像５００の一例を示す図である。構成変更画像５００は、全体画像２０を構成する個別画像の個数を変更するための表示モードボタン画像５１０〜５１４、２行２列の４つの表示対象領域５３１〜５３４で構成される個別画像配置領域５３０、全体画像２０の表示を指示するための表示ボタン画像５２０、全体画像２０に代えてユーザーロゴ画像等を表示する指示を行うための画像ミュートボタン画像５２２、現在の全体画像２０の表示を維持する指示を行うための一時停止ボタン画像５２４、アイコン５５０〜５５６が配置されるアイコン配置領域５４０、操作に応じて表示対象領域５３１〜５３４を移動し、表示する個別画像を選択させるための矩形状のカーソル画像５９０等を含む。また、構成変更画像５００は、「ファイル」、「ツール」、「ヘルプ」を示すメニュー画像、接続プロジェクター名を示す画像等を含む。
【００２７】
例えば、図８に示す構成変更画像５００は、ＰＣ２００−１（コンピューター名は「ＣＰＡ」）の画面で表示される画像である。個別画像配置領域５３０において、左上領域にある表示対象領域５３１にＣＰＡを示すマーク画像５７０が配置され、右上領域にある表示対象領域５３２にＣＰＢ（ＰＣ２００−２）を示すマーク画像５７２が配置され、左下領域にある表示対象領域５３３にＣＰＣ（ＰＣ２００−３）を示すマーク画像５７４が配置され、右下領域にある表示対象領域５３４には、マーク画像が配置されていないため、マーク画像が窪んだ形状である窪み画像５８０が配置されている。また、全体画像２０において表示中である場合はマーク画像５７０〜５７４の背景が白で表示され、表示中でない場合はマーク画像５７０〜５７４の背景がグレーで表示される。例えば、図８に示す例では、マーク画像５７０、５７２の背景が白になっており、全体画像２０にＰＣ２００−１、２００−２の２つの個別画像が左右に並んで配置されていることを示す。なお、窪み画像５８０の背景はグレーである。
【００２８】
また、アイコン配置領域５４０において、右側の他装置領域５４４には参加順（プロジェクター１００への接続順）に左から他のＰＣ２００を示すアイコン５５２〜５５６が配置され、左側の自装置領域５４２には参加順にかかわらず固定的に自装置を示すアイコン５５０が配置される。また、アイコン５５０〜５５６の背景は個別画像配置領域５３０における表示状態に応じて変化する。例えば、図８に示す例では、マーク画像が表示され、かつ、個別画像が表示されている表示中状態であるアイコン５５０、５５２の背景にあるアイコン背景画像５６０、５６２は白（第１の状態）で表示され、マーク画像が表示され、かつ、個別画像が表示されていない表示待機状態であるアイコン５５４の背景にあるアイコン背景画像５６４はグレー（第２の状態）で表示され、マーク画像が表示されていない非表示状態であるアイコン５５６の背景には何も表示されていない（第３の状態）。さらに、自端末装置のアイコン５５０は他端末装置のアイコン５５２〜５５６より大きく表示され、自端末装置のマーク画像５７０は他端末装置のマーク画像５７２、５７４より大きく表示されている。また、アイコン５５０〜５５６はそれぞれが異なる色で表示され、マーク画像５７０〜５７４もそれぞれが異なる色で表示される。さらに、アイコン５５０〜５５６およびマーク画像５７０〜５７４にはＰＣ２００のホスト名（ユーザーによる名称設定も可能）が付加されて表示される。
【００２９】
本実施形態においては、プロジェクター１００とＰＣ２００とが接続を確立したときに、プロジェクター１００によって割り当てられたＰＣ２００に固有の色情報を含む第１の状態通知情報が、ＰＣ２００に通知される。ここで、色情報はアイコンおよびマーク画像に使用する色を指定するための情報であり、あらかじめ設定された色に対応する数値であってもよいし、色の名称を表すテキストデータであってもよい。また、所定のビット数で表されるＲＧＢ値であってもよい。新たにプロジェクター１００との接続を確立したＰＣ２００は、プロジェクター１００によって割り当てられたＰＣ２００に固有の色情報を含む第２の状態通知情報を、既にプロジェクター１００との接続を確立している他のＰＣ２００他端末装置に通知する。新たにＰＣ１００との接続を確立したＰＣ２００からの色情報を受け取った他のＰＣ２００は、それぞれ自端末装置に割り当てられた色情報を含む第３の状態通知情報を、プロジェクター１００との接続を確立している他のＰＣ２００に通知する。これにより、構成変更画像５００のアイコン配置領域５４０に配置されるアイコンの色と、プロジェクター１００との接続を確立したＰＣ２００との対応は、どのＰＣ２００においても同じとなるため、各参加者は、複数のＰＣ２００がプロジェクター１００との接続を確立している場合でも、アイコンの色で所望のＰＣ２００を容易に特定することが可能となる。なお、プロジェクター１００がすべてのＰＣ２００の色情報を含む第１の状態通知情報を送信する場合には第３の状態通知情報の通知は不要である。
【００３０】
各ＰＣ２００を操作する各参加者は、各ＰＣ２００の画面に検索画像４００および構成変更画像５００を表示して操作することが可能であり、例えば、アイコン５５０〜５５６をアイコン配置領域５４０から個別画像配置領域５３０にドラッグアンドドロップすることにより、個別画像配置領域５３０の構成を変更することができる。例えば、各参加者は、ＰＣ２００−２（ＣＰＢ）のアイコン５５２の位置にマウスポインターを重ねてクリックした状態で、右上の表示対象領域５３２までマウスポインターを移動させて（アイコン５５２はアイコン配置領域５４０に残ったまま、アイコン５５２と同一形態のアイコンがマウスポインターと連動して移動する）マウスから指を離すことにより、表示対象領域５３２にＰＣ２００−２に対応したマーク画像５７２を配置することができ、ＰＣ２００−２の個別画像を含む全体画像２０をプロジェクター１００に投写させることが可能になる。端末側情報生成部２２０は、入力部２６０からの情報に基づき、構成変更操作があったかどうかを判定する（ステップＳ５）。端末側情報生成部２２０は、構成変更操作があった場合、構成変更要求情報を生成し、端末側通信部２１０は、当該構成変更要求情報をプロジェクター１００へ向け送信する（ステップＳ６）。
【００３１】
また、端末側情報生成部２２０は、端末側通信部２１０によってプロジェクター１００から画像情報の送信開始要求情報が受信されたかどうかを判定する（ステップＳ７）。端末側情報生成部２２０は、送信開始要求情報が受信された場合、画像データ２４２に基づき、図１に示すグラフ画像等を示す画像情報を生成し、端末側通信部２１０は、当該画像情報をプロジェクター１００へ向け送信する（ステップＳ８）。なお、端末側画像生成部２３０は、図１に示すグラフ画像等を生成し、当該グラフ画像等を連続的にキャプチャーして画像データ２４２として端末側記憶部２４０に記憶する。
【００３２】
また、端末側情報生成部２２０は、端末側通信部２１０によってプロジェクター１００から画像情報の送信停止要求情報が受信されたかどうかを判定する（ステップＳ９）。端末側情報生成部２２０は、送信停止要求情報が受信された場合、画像情報の生成を停止し、端末側通信部２１０は、画像情報の送信を停止する（ステップＳ１０）。なお、この場合、端末側画像生成部２３０は、画像のキャプチャーを停止してもよい。
【００３３】
また、参加者は、構成変更画像５００の「ツール」のサブメニューから「退出」を選択することにより自分のＰＣ２００の通信を切断することができ、当該サブメニューから「会議の終了」を選択することにより、すべてのＰＣ２００の通信を切断することができる。端末側情報生成部２２０は、入力部２６０からの情報に基づき、「会議の終了」が選択されたかどうかを判定する（ステップＳ１１）。端末側情報生成部２２０は、「会議の終了」が選択された場合、終了要求情報を生成し、端末側通信部２１０は、当該終了要求情報をプロジェクター１００へ向け送信する（ステップＳ１２）。また、端末側情報生成部２２０は、終了要求情報の受信に応じてプロジェクター１００から送信される終了通知情報が端末側通信部２１０によって受信されたかどうかを判定する（ステップＳ１３）。ＰＣ２００は、終了要求情報を送信した場合または終了通知情報を受信した場合、上述した一連の処理を終了して検索画像４００を表示し、終了しない場合、上述したステップＳ３〜Ｓ１３の処理を繰り返し実行する。なお、端末側情報生成部２２０は、「会議の終了」が選択された場合、「会議に参加中の全ユーザーはプロジェクターから切断され、検索画面に戻ります。会議を終了しますか？」といった文字列を示す確認画像を生成してもよく、終了通知情報が受信された場合、「他のユーザーが会議を終了しました。検索画面に戻ります。」といった文字列を示す通知画像を生成してもよい。
【００３４】
次に、図５を用いて、プロジェクター１００における処理手順について説明する。表示側情報生成部１２０は、表示側通信部１１０によってＰＣ２００から状態確認情報が受信されたかどうかを判定する（ステップＰ１）。表示側情報生成部１２０は、状態確認情報が受信された場合、装置管理データ１４６に基づき、状態通知情報を生成し、表示側通信部１１０は、当該状態通知情報を送信元のＰＣ２００へ向け送信する（ステップＰ２）。
【００３５】
また、表示側更新部１５０は、表示側通信部１１０によってＰＣ２００から参加要求情報が受信されたかどうかを判定する（ステップＰ３）。表示側更新部１５０は、参加要求情報が受信された場合、当該参加要求情報に基づき、装置管理データ１４６を更新する。また、この場合、表示側情報生成部１２０は、装置管理データ１４６に基づき、状態通知情報を生成し、状況に応じて画像構成データ１４４に基づき、画像構成情報を生成する。表示側通信部１１０は、当該状態通知情報および当該画像構成情報を、参加中の各ＰＣ２００へ向け送信する（ステップＰ４）。
【００３６】
また、表示側更新部１５０は、表示側通信部１１０によってＰＣ２００から構成変更要求情報が受信されたかどうかを判定する（ステップＰ５）。表示側更新部１５０は、構成変更要求情報が受信された場合、当該構成変更要求情報に基づき、画像構成データ１４４を更新する。また、この場合、表示側情報生成部１２０は、画像構成データ１４４に基づき、画像構成情報を生成し、状況に応じて、送信開始要求情報、送信停止要求情報を生成する。より具体的には、例えば、表示側情報生成部１２０は、新たに個別画像を表示する必要が生じた場合に当該個別画像の画像情報の送信元となるＰＣ２００に対して送信開始要求情報を生成し、個別画像を表示する必要がなくなった場合に当該個別画像の画像情報の送信元となっているＰＣ２００に対して送信停止要求情報を生成する。表示側通信部１１０は、当該画像構成情報、当該送信開始要求情報および当該送信停止要求情報を、参加中の各ＰＣ２００へ向け送信する。また、表示側画像生成部１３０は、画像データ１４２、画像構成データ１４４に基づき、画像の構成に応じて全体画像２０を生成し、投写部１９０は、当該全体画像２０を投写する（ステップＰ６）。
【００３７】
また、表示側更新部１５０は、表示側通信部１１０によってＰＣ２００から画像情報が受信されたかどうかを判定する（ステップＰ７）。表示側更新部１５０は、画像情報が受信された場合、当該画像情報に基づき、画像データ１４２を更新する。また、この場合、表示側画像生成部１３０は、画像データ１４２、画像構成データ１４４に基づき、全体画像２０を生成し、投写部１９０は、当該全体画像２０を投写する（ステップＰ８）。
【００３８】
表示側情報生成部１２０は、表示側通信部１１０によってＰＣ２００から終了要求情報が受信されたかどうかを判定する（ステップＰ９）。表示側情報生成部１２０は、終了要求情報が受信された場合、終了通知情報を生成する。表示側通信部１１０は、当該終了通知情報を各ＰＣ２００へ向け送信する。表示側更新部１５０は、会議の終了に伴い、装置管理データ１４６、画像構成データ１４４を、例えば、初期状態等に更新する（ステップＰ１０）。プロジェクター１００は、投写終了指示があるかどうかを判定し（ステップＰ１１）、投写終了指示があった場合は上述した一連の処理を終了する。
【００３９】
ここで、プロジェクター１００とＰＣ２００−１〜２００−４における画像遷移についてより詳細に説明する。図９は、第１の実施例における各装置における画像遷移の一例を示す図である。図１０は、第１の実施例における各装置における画像遷移の他の一例を示す図である。図１１は、第１の実施例における各装置における画像遷移の他の一例を示す図である。ここでは、説明を簡単にするため、ＰＣ２００−１（ＣＰＡ）が画像Ａを表示し、ＰＣ２００−２（ＣＰＢ）が画像Ｂを表示し、ＰＣ２００−３（ＣＰＣ）が画像Ｃを表示し、ＰＣ２００−４（ＣＰＤ）が画像Ｄを表示しているものとする。また、後述する時点ｔ１〜ｔ１２は連続した時点であるものとする。
【００４０】
時点ｔ１においては、会議に参加しているＰＣ２００は存在せず、プロジェクター１００（ＥＭＰ００００００００）は、単色の画像を投写している。時点ｔ２において、最初にＣＰＡが会議に参加した場合、プロジェクター１００は、当該参加に応じてＣＰＡの画像Ａを含む全体画像２０を投写する。一方、時点ｔ３において、ＣＰＢが参加した場合、プロジェクター１００は、自動的に画像Ｂを投写せず、ＣＰＡの画像Ａを含む全体画像２０の投写を継続する。さらに、時点ｔ４において、ＣＰＣおよびＣＰＤが参加した場合、プロジェクター１００は、自動的に画像Ｃおよび画像Ｄを投写せず、ＣＰＡの画像Ａを含む全体画像２０の投写を継続する。すなわち、プロジェクター１００は、最初に参加したＰＣ２００の画像を、明示的な表示指示の有無にかかわらず自動的に投写するが、２番目以降に参加したＰＣ２００の画像は明示的な表示指示がなければ、投写しない。
【００４１】
時点ｔ５において、ＣＰＡを操作する参加者が、ＰＣ２００−１に表示された構成変更画像５００において、ＣＰＢのアイコンを個別画像配置領域５３０の右上領域にドラッグアンドドロップした場合、表示モードは１画面のままであるため、プロジェクター１００が投写する全体画像２０は変化しない。なお、アイコンをアイコン配置領域５４０から個別画像配置領域５３０にドラッグアンドドロップしても、当該アイコンはアイコン配置領域５４０に残り、個別画像配置領域５３０に当該アイコンに対応したマーク画像が追加される。時点ｔ６において、ＣＰＡを操作する参加者が、ＰＣ２００−１に表示された構成変更画像５００において、２画面の表示モードボタン画像５１２をクリックした場合、プロジェクター１００は、カーソル画像５９０の存在している行位置にあるマーク画像に対応した画像Ａおよび画像Ｂを含む全体画像２０を投写する。また、この場合、各ＰＣ２００の個別画像配置領域５３０における右上の表示対象領域５３２の背景がグレーから白に変化する。
【００４２】
時点ｔ７において、ＣＰＡを操作する参加者が、ＰＣ２００−１に表示された構成変更画像５００において、ＣＰＣのアイコンを個別画像配置領域５３０の左下領域にドラッグアンドドロップし、ＣＰＤのアイコンを個別画像配置領域５３０の右下領域にドラッグアンドドロップした場合、各ＰＣ２００の表示対象領域５３３、５３４における窪み画像がマーク画像に変化するが、プロジェクター１００が投写する全体画像２０は変化しない。
【００４３】
時点ｔ８において、ＣＰＡを操作する参加者が、ＰＣ２００−１に表示された構成変更画像５００において、４画面の表示モードボタン画像５１４をクリックした場合、プロジェクター１００は、個別画像配置領域５３０にある各マーク画像に対応した画像Ａ、画像Ｂ、画像Ｃおよび画像Ｄを含む全体画像２０を投写する。また、この場合、各ＰＣ２００の個別画像配置領域５３０における左下の表示対象領域５３３および右下の表示対象領域５３４の背景がグレーから白に変化し、ＣＰＣ、ＣＰＤのアイコンのアイコン背景画像もグレーから白に変化する。
【００４４】
時点ｔ９において、ＣＰＡを操作する参加者が、ＰＣ２００−１に表示された構成変更画像５００において、カーソル画像５９０を左下の表示対象領域５３３に移動し、２画面の表示モードボタン画像５１２をクリックした場合、プロジェクター１００は、個別画像配置領域５３０にある各マーク画像に対応した画像Ｃおよび画像Ｄを含む全体画像２０を投写する。また、この場合、各ＰＣ２００の個別画像配置領域５３０における左上の表示対象領域５３１および右上の表示対象領域５３２の背景が白からグレーに変化し、ＣＰＡ、ＣＰＢのアイコンのアイコン背景画像も白からグレーに変化する。なお、カーソル画像５９０は、各ＰＣ２００で独立して動作するため、図１１に示すように、ＰＣ２００−１がカーソル画像５９０を移動させた場合であっても、他のＰＣ２００−２〜２００−４のカーソル画像５９０は移動しない。
【００４５】
時点ｔ１０において、ＣＰＡを操作する参加者が、ＰＣ２００−１に表示された構成変更画像５００において、ＣＰＢ、ＣＰＣのマーク画像をアイコン配置領域５４０にドラッグアンドドロップした場合、プロジェクター１００は、画像Ｃのあった部分を白にし、画像Ｄを含む全体画像２０を投写する。また、この場合、各ＰＣ２００の個別画像配置領域５３０における右上の表示対象領域５３２および左下の表示対象領域５３３からマーク画像が消え、ＣＰＢ、ＣＰＣのアイコンのアイコン背景画像も消える。なお、マーク画像は移動やドラッグアンドドロップによって元の場所から消え、マーク画像がなくなった表示対象領域には窪み画像５８０が表示される。
【００４６】
時点ｔ１１において、ＣＰＡを操作する参加者が、ＰＣ２００−１に表示された構成変更画像５００において、左上にあるＣＰＡのマーク画像を左下の表示対象領域５３３にドラッグアンドドロップした場合、プロジェクター１００は、画像Ａおよび画像Ｄを含む全体画像２０を投写する。また、この場合、各ＰＣ２００のアイコン配置領域５４０におけるＣＰＡのアイコンのアイコン背景画像がグレーから白に変化する。
【００４７】
時点ｔ１２において、ＣＰＡを操作する参加者が、ＰＣ２００−１に表示された構成変更画像５００において、マウスカーソルがＣＰＢのアイコンに重なった状態でＣＰＢのアイコンをダブルクリックした場合、ＣＰＢのマーク画像が、表示対象領域５３１〜５３４のうち、マーク画像が配置されていない空き領域のうち、最も優先度の高い左上の表示対象領域５３１に表示され、ＣＰＢのアイコンにグレーのアイコン背景画像が付加される。なお、個別画像配置領域５３０に空き領域がない状態でアイコン配置領域５４０内の選択可能なアイコンがダブルクリックされた場合、最も優先度の低い右下の表示対象領域５３４にあるマーク画像が消え、表示対象領域５３４にダブルクリックされたアイコンに対応したマーク画像が表示される。また、入力部２６０は、通常のドラッグアンドドロップ操作による第１の操作情報だけでなく、ダブルクリック操作による第２の操作情報も入力され、端末側画像生成部２３０は、第１の操作情報だけでなく、第２の操作情報にも対応して構成変更画像５００を生成することが可能である。さらに、ＰＣ２００−１に接続されたキーボードからも第２の操作情報を入力することができる。例えば、参加者が、キーボードのＴＡＢキーの入力によってアイコン配置領域５４０内のアイコンを選択することにより、当該アイコンが強調表示され、キーボードのＥｎｔｅｒキーの入力によって選択されたアイコンに対応するマーク画像を個別画像配置領域５３０に表示させるように構成してもよい。この場合、必ずしもマウスカーソルが所望のアイコンと重なっている必要はない。簡単なキーボード操作によってアイコンを選択することができるので、ポインティングデバイスの操作に慣れていないユーザーでも、容易に全体画像の構成を変更することが可能となる。
【００４８】
以上のように、本実施例によれば、ＰＣ２００は、自端末装置のアイコン５５０を他端末装置のアイコン５５２〜５５６と異なる形態で示す画像を、アイコン配置領域５４０に生成することにより、ユーザーは、他端末装置のアイコン５５２〜５５６と比べて操作する頻度が高い自端末装置のアイコン５５０を操作しやすくなるため、プロジェクター１００によってＰＣ２００からの画像情報に基づく個別画像を含む全体画像２０が表示される場合に、全体画像２０の構成を変更する際の操作をより行いやすくすることができる。これにより、各参加者がそれぞれのＰＣ２００を用いて全体画像２０の構成を変更する場合においても、各参加者は効率的に所望の操作を行うことができる。
【００４９】
また、本実施例によれば、ＰＣ２００は、自端末装置のアイコン５５０およびマーク画像５７０を他端末装置の５５２〜５５６およびマーク画像５７２、５７４よりも大きく表示することにより、ユーザーは、他端末装置のアイコン等と比べて操作する頻度が高い自端末装置のアイコン等を操作しやすくなる。また、本実施例によれば、ＰＣ２００は、マーク画像５７０〜５７４が配置されていない表示対象領域５３４に窪んだ状態の窪み画像５８０を表示することにより、ユーザーは、表示対象領域５３４に平坦な状態の画像を表示する場合と比べ、ドラッグアンドドロップ操作を想起しやすく、アイコン５５０〜５５６の移動先を把握しやすくなる。また、本実施例によれば、ＰＣ２００は、自端末装置のアイコン５５０の表示位置を固定することにより、ユーザーは、他端末装置のアイコン５５２〜５５６と比べて操作する頻度が高い自端末装置のアイコンを操作しやすくなる。
【００５０】
また、本実施例によれば、ＰＣ２００は、プロジェクター１００によって表示される全体画像２０における個別画像３０〜３３の配置を示す個別画像配置領域５３０を含む構成変更画像５００を生成することにより、全体画像２０の構成をわかりやすく提示することができる。また、本実施例によれば、ＰＣ２００は、参加者を模したアイコンを識別名（ホスト名等）とともに表示するアイコン配置領域５４０を構成変更画像５００に含めて表示することにより、各参加者は、現在の参加者を把握することができ、遠隔地間の会議等においても参加者を把握しやすい。また、本実施例によれば、ＰＣ２００は、操作に応じて個別画像配置領域５３０の表示状態を変化させることにより、全体画像２０の構成が変化した場合でも、当該変化を迅速に個別画像配置領域５３０の表示に反映することができる。さらに、本実施例によれば、ＰＣ２００は、操作対象となるアイコンの背景にあるアイコン背景画像を個別画像配置領域５３０の表示状態に応じて変化させることにより、ユーザーは、視覚的に表示状態を把握しやすく、迅速な操作を行うことが可能になる。
【００５１】
また、本実施例によれば、ＰＣ２００は、マーク画像の割り当て状態等に応じてアイコン背景画像を変化させることにより、ユーザーは、表示状態に応じてアイコンに関する操作を行う際に操作しやすくなる。また、本実施例によれば、ＰＣ２００は、３つの表示状態に応じてアイコン背景画像を３つの異なる状態に変化させることにより、ユーザーは、表示状態に応じてアイコンに関する操作を行う際に操作しやすくなる。また、本実施例によれば、ＰＣ２００は、カーソル画像５９０の位置を示す操作情報と、表示ボタン画像５２０〜５２４の押下操作を示す操作情報に基づいて個別画像の表示有無を決定することにより、ユーザーは、より多様な操作によって個別画像の表示を変化させることができる上、迅速に全体画像２０の構成を変更することができる。
【００５２】
また、本実施例によれば、ＰＣ２００は、ドラッグアンドドロップ操作以外の操作であるダブルクリック操作にも対応することにより、プロジェクター１００によってＰＣ２００からの画像情報に基づく個別画像３０〜３３を含む全体画像２０が表示される場合に、全体画像２０の構成を変更する際の操作をより行いやすくすることができる。例えば、携帯情報端末等での操作はタッチパネル等による操作であるため、ドラッグアンドドロップ操作が困難だったり、時間がかかったりする場合もあるが、本実施例によれば、ユーザーは、ダブルクリック操作（連続したタッチ操作）で全体画像２０の構成を変更することができるため、携帯情報端末等を使用する場合であっても、快適に所望の操作を行うことができる。また、本実施例によれば、ＰＣ２００は、マウスポインターがアイコンと重なった状態でのダブルクリック操作に応じてマーク画像の配置を行うことができ、空き領域に自動的にマーク画像を配置することができる。
【００５３】
また、本実施例によれば、プロジェクター１００は、最初に参加要求情報を送信したＰＣ２００からの画像情報に基づく個別画像を、明示的な表示指示の有無にかかわらず、表示し、参加要求情報を送信した２台目以降のＰＣ２００からの画像情報に基づく個別画像を、明示的な表示指示がない状態では表示せず、明示的な表示指示があった場合に表示することにより、複数台のＰＣ２００から参加要求等を受け付ける場合であっても、適切かつ迅速に全体画像を表示することができる。また、例えば、表示装置が、参加要求情報を送信した２台目以降のＰＣ２００からの画像情報に基づく個別画像を表示すると、既存の全体画像の構成が変化してしまい、プレゼンテーション等の妨げになってしまうが、本実施例によれば、プロジェクター１００は、既存の全体画像の構成を変化させることなく、２台目以降のＰＣ２００からの参加要求等を受け付けることができる。一方、例えば、表示装置が、参加要求情報を送信したすべてのＰＣ２００からの画像情報に基づく個別画像を表示しないと、１台目のＰＣ２００が常に明示的な表示指示を行わなければならず、利便性が低下してしまうが、本実施例によれば、プロジェクター１００は、最初に参加要求情報を送信したＰＣ２００からの画像情報に基づく個別画像を即座に表示することができるため、利便性を向上させることができる。
【００５４】
また、本実施例によれば、プロジェクター１００は、ＰＣ２００からの構成変更要求情報に基づき、全体画像２０を生成することにより、適切に全体画像２０を表示することができる。また、本実施例によれば、プロジェクター１００は、画像構成データ１４４等を用いることにより、適切に全体画像２０を表示することができる。また、本実施例によれば、プロジェクター１００は、全体画像２０の構成および参加中のＰＣ２００を各ＰＣ２００に通知することができるため、ＰＣ２００は、最新の状態を反映した構成変更画像５００を生成することができる。
【００５５】
また、本実施例によれば、ＰＣ２００は、画像構成データ２４４等を用いることにより、最新の状態を反映した構成変更画像５００を生成することができる。また、本実施例によれば、ＰＣ２００は、構成の変更に関する操作に応じて構成変更要求情報をプロジェクター１００へ向け送信することにより、プロジェクター１００は、構成の変更に関する操作に応じて全体画像２０の構成を変更することができる。
【００５６】
（その他の実施例）
なお、本発明の適用は上述した実施例に限定されず、変形が可能である。例えば、ＰＣ２００の台数は４台に限定されず、３台以下であってもよいし、５台以上であってもよい。また、プロジェクター１００の台数も２台以上であってもよい。図１２は、その他の実施例における構成変更画像５０１の一例を示す図である。例えば、会議に参加中のＰＣ２００の台数が６台以上になり、５台目のＣＰＥのアイコン５５８までしか他装置領域５４４に表示できない場合、端末側画像生成部２３０は、他装置領域５４４にスクロールバー画像５９２を追加し、スクロールバー画像５９２のスクロールによって６台目以降のＰＣ２００のアイコンが他装置領域５４４に表示されるように、構成変更画像５０１を生成してもよい。
【００５７】
また、上述した実施例では、端末側画像生成部２３０は、個別画像配置領域５３０の表示状態に応じてアイコン背景画像の形態を変化させたが、アイコンの形態を変化させてもよい。また、形態の変化は、色の変化に限定されず、例えば、模様の変化、形状の変化、点滅等による強調効果の変化等であってもよい。
【００５８】
また、第２の操作情報に該当するドラッグアンドドロップ操作以外の操作は、ダブルクリック操作に限定されず、例えば、マウスの右クリックで表示されるメニューにおける項目の選択による操作、キーボードのキー操作、携帯情報端末等のタッチパネル等における接触操作等であってもよい。例えば、端末側更新部２５０または端末側情報生成部２２０は、入力部２６０からの情報に基づき、タッチパネル等における接触位置の変化（例えば、移動方向、移動方向および移動速度、移動方向および移動量等）に応じてユーザーが指示した個別画像配置領域５３０における表示対象領域を決定してもよい。例えば、端末側更新部２５０は、図８に示す状態で、ユーザーが、アイコン５５０を左側に基準値以上の速度（または基準値以上の移動量）で移動させた場合は左上にある表示対象領域５３１を指示したと判定し、アイコン５５０を左側に基準値未満の速度（または基準値未満の移動量）で移動させた場合は左下にある表示対象領域５３３を指示したと判定してもよい。また、第２の操作情報に応じて表示対象領域を決定する手法は、上述した優先順位に応じた手法に限定されず、例えば、ランダムに決定する手法、ダブルクリックされたアイコンに最も近い表示対象領域に決定する手法、カーソル画像５９０の位置にある表示対象領域に決定する手法、上記の接触位置の変化に応じて決定する手法等であってもよい。
【００５９】
また、検索画像４００および構成変更画像５００は、画像情報の元になるグラフ画像等とは異なるレイヤーに生成される画像（例えば、ＯＳＤ画像等）であってもよく、グラフ画像等と一緒にキャプチャーされる画像であってもよい。構成変更画像５００等がＯＳの仕様等によってグラフ画像等と一緒にキャプチャーされる場合であっても、ユーザーは、構成変更画像５００等を最小化表示したり、ＰＣ２００の画面からはみ出る形で右端に寄せて表示したりすることにより、全体画像２０における構成変更画像５００等の表示を目立たなくさせることができる。特に、構成変更画像５００は、左側に操作用のボタン画像が集中しているため、ユーザーは、構成変更画像５００を画面からはみ出るように右側に移動させた場合であっても、操作用のボタン画像を操作することができる。
【００６０】
また、上述したように、各ユーザーが、各自のＰＣ２００において構成変更画像５００、５０１における他のＰＣ２００のアイコン等も操作することが可能であるが、同時に異なる操作を行ってもよい。例えば、プロジェクター１００は、競合する操作が行われた場合、受付番号等を用いることにより、最も早く受け付けた操作を優先したり、最も遅く受け付けた操作を優先したりすることが可能である。
【００６１】
また、端末側通信部２１０は、画像情報だけでなく、参加者の発言等を示す音声情報をプロジェクター１００へ向け送信し、プロジェクター１００の有する音声出力部は、当該音声情報に基づく音声を出力してもよい。
【００６２】
また、プロジェクター１００とＰＣ２００の接続形態は、図１に示す無線接続に限定されず、例えば、ＬＡＮ等による有線接続であってもよい。また、表示装置は、プロジェクター１００に限定されず、例えば、テレビ、液晶モニター、投写機能を有する電子機器（例えば、デジタルカメラ、携帯電話等）等であってもよい。また、端末装置は、ＰＣ２００に限定されず、例えば、携帯電話、携帯情報端末等であってもよい。
【００６３】
また、プロジェクター１００の有するコンピューターは、情報記憶媒体に記憶されたプログラムを読み取って表示側画像生成部１３０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００６４】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００６５】
１０  スクリーン、２０  全体画像、３０〜３３  個別画像、１００  プロジェクター（表示装置）、１１０  表示側通信部（受信部）、１２０  表示側情報生成部、１３０  表示側画像生成部、１４０  表示側記憶部、１４２、２４２  画像データ、１４４、２４４  画像構成データ、１４６、２４６  装置管理データ、１５０  表示側更新部、１９０  投写部（表示側表示部）、２００  ＰＣ（端末装置）、２１０  端末側通信部（送信部）、２２０  端末側情報生成部、２３０  端末側画像生成部、２４０  端末側記憶部、２５０  端末側更新部、２６０  入力部、２８０  情報記憶媒体、２９０  端末側表示部、３００  アクセスポイント、４００  検索画像、４１０  検索結果表示領域、４２０  接続プロジェクターリスト表示領域、４３０  更新ボタン画像、４４０  クリアーボタン画像、４５０  登録ボタン画像、４６０  オプション設定ボタン画像、４７０  参加ボタン画像、５００、５０１  構成変更画像、５１０〜５１４  表示モードボタン画像、５２０  表示ボタン画像、５２２  画像ミュートボタン画像、５２４  一時停止ボタン画像、５３０  個別画像配置領域、５３１〜５３４  表示対象領域、５４０  アイコン配置領域、５４２  自装置領域、５４４  他装置領域、５５０〜５５８  アイコン、５６０〜５６４  アイコン背景画像、５７０〜５７４  マーク画像、５８０  窪み画像、５９０  カーソル画像、５９２  スクロールバー画像
【図１】
0005413605.tif 000002
【図２】
0005413605.tif 000003
【図３】
0005413605.tif 000004
【図４】
0005413605.tif 000005
【図５】
0005413605.tif 000006
【図６】
0005413605.tif 000007
【図７】
0005413605.tif 000008
【図８】
0005413605.tif 000009
【図９】
0005413605.tif 000010
【図１０】
0005413605.tif 000011
【図１１】
0005413605.tif 000012
【図１２】
0005413605.tif 000013